(57)【特許請求の範囲】
【請求項１】
自然界のエネルギを用いて発電する発電装置（１１１）と、前記発電装置（１１１）によって得られた発電電力の一部を蓄電電力として蓄える建物蓄電池（１１２）とを有する複数の建物（１１０Ａ〜１１０Ｃ）と、
車両電気機器に電力を供給する車両蓄電池（１２２）を有し、複数の前記建物（１１０Ａ〜１１０Ｃ）間を移動して荷物の配送を行う複数の配送車（１２０Ａ〜１２０Ｃ）と、の情報を通信手段（１１７、１２６、１３３、１４１）によって把握して、前記建物（１１０Ａ〜１１０Ｃ）および前記配送車（１２０Ａ〜１２０Ｃ）の電力管理を行うセンタ（１４０）を備える電力供給システムにおいて、
前記センタ（１４０）は、
現時点から所定期間までのそれぞれの前記建物（１１０Ａ〜１１０Ｃ）における、前記発電電力の予測量と前記蓄電電力の予測量とに対する前記建物（１１０Ａ〜１１０Ｃ）の消費電力の予測量の電力収支が余剰となって、前記配送車（１２０Ａ〜１２０Ｃ）への電力供給が可能となる供給可能電力量を予測し、
前記供給可能電力量と、前記配送車（１２０Ａ〜１２０Ｃ）の運行ルートと、前記車両蓄電池（１２２）の車両蓄電電力量とに基づいて、複数の前記配送車（１２０Ａ〜１２０Ｃ）のうち前記電力供給の対象となる対象配送車（１２０）と、複数の前記建物（１１０Ａ〜１１０Ｃ）のうち前記対象配送車（１２０）に対して電力供給を行う供給用建物（１１０）と、前記電力供給を行うための供給用運行ルートと、前記供給用建物（１１０）から前記対象配送車（１２０）に電力供給する供給電力量とを定める電力供給計画を立案し、
前記電力供給計画に基づいて、前記建物（１１０Ａ〜１１０Ｃ）および前記配送車（１２０Ａ〜１２０Ｃ）に対して、前記供給用建物（１１０）から前記対象配送車（１２０）への電力供給を実行するための指令を出すことを特徴とする電力供給システム。
【請求項２】
前記センタ（１４０）は、前記電力供給計画を立案する際に、前記供給用建物（１１０）が２つ以上設定されたときに、最初の供給用建物（１１０）から供給する前記供給電力量として、少なくとも、前記対象配送車（１２０）が次に電力供給を受ける供給用建物（１１０）まで移動するのに必要とされる電力量とすることを特徴とする請求項１に記載の電力供給システム。
【請求項３】
前記センタ（１４０）は、前記電力供給計画を立案する際に、前記供給電力量を、前記供給用運行ルートに基づく前記対象配送車（１２０）の走行距離、走行時間、前記供給用運行ルートにおける渋滞情報、外気温度、前記荷物の重さ、および前記荷物の保冷に必要とされる熱量のうち、少なくとも１つによって前記対象配送車（１２０）が使用すると予測される予測電力量をもとに定めることを特徴とする請求項１に記載の電力供給システム。
【請求項４】
前記センタ（１４０）は、前記電力供給計画を立案する際に、前記供給電力量を、過去の所定期間での前記対象配送車（１２０）の配送時における使用電力実績量をもとに定めることを特徴とする請求項１に記載の電力供給システム。
【請求項５】
前記センタ（１４０）は、前記電力供給計画を立案する際に、前記供給電力量では前記対象配送車（１２０）が必要とする電力量が賄えない場合には、前記供給用建物（１１０）において配電系統からの商用電力を活用して電力供給する供給電力量に設定することを特徴とする請求項１〜請求項４のいずれか１つに記載の電力供給システム。
【請求項６】
前記センタ（１４０）は、前記電力供給計画を立案する際に、前記供給用建物（１１０）のうち、前記対象配送車（１２０）に対して最も近い供給用建物（１１０）から優先して前記供給用運行ルートを定めることを特徴とする請求項１〜請求項５のいずれか１つに記載の電力供給システム。
【請求項７】
前記センタ（１４０）は、前記電力供給計画を立案する際に、前記供給用建物（１１０）のうち、前記供給可能電力量が最も大きい供給用建物（１１０）から優先して前記供給用運行ルートを定めることを特徴とする請求項１〜請求項５のいずれか１つに記載の電力供給システム。
【請求項８】
前記センタ（１４０）は、前記優先して定めた前記供給用建物（１１０）に向かう前記対象配送車（１２０）が複数となったとき、複数の前記対象配送車（１２０）のうち、配送のための走行距離の最も長い対象配送車（１２０）、あるいは走行距離あたりの荷物コストが最も高い対象配送車（１２０）に対して電力供給を優先するように前記電力供給計画を立案することを特徴とする請求項６または請求項７に記載の電力供給システム。
【請求項９】
前記センタ（１４０）は、前記優先して定めた前記供給用建物（１１０）に向かう前記対象配送車（１２０）が複数となったとき、複数の前記対象配送車（１２０）のうち、供給される電力の使用によって環境に対するクリーン度の向上度合いが最も高くなる対象配送車（１２０）に対して電力の供給を優先するように前記電力供給計画を立案することを特徴とする請求項６または請求項７に記載の電力供給システム。
【請求項１０】
前記センタ（１４０）は、逐次、前記建物（１１０Ａ〜１１０Ｃ）における前記建物蓄電池（１１２）の蓄電電力量のデータと、前記配送車（１２０Ａ〜１２０Ｃ）における前記車両蓄電電力量のデータとを入手しており、
前記蓄電電力量のデータと前記車両蓄電電力量のデータとに応じて、前記供給用運行ルートを更新することを特徴とする請求項１〜請求項９のいずれか１つに記載の電力供給システム。
【請求項１１】
前記センタ（１４０）は、前記配送車（１２０Ａ〜１２０Ｃ）における荷物の量、および前記供給用運行ルートにおける渋滞情報に応じて前記供給用運行ルートを更新することを特徴とする請求項１〜請求項９のいずれか１つに記載の電力供給システム。
【請求項１２】
前記センタ（１４０）は、前記電力供給を実行するための指令を出す際に、前記対象配送車（１２０）の荷物の積み降ろしにかかる停車時間を予測し、前記停車時間に応じて前記供給用建物（１１０）における電力供給速度を指示することを特徴とする請求項１〜請求項１１のいずれか１つに記載の電力供給システム。
【請求項１３】
前記センタ（１４０）は、前記供給可能電力量を予測する際に、前記消費電力の予測量を、現時点以前の過去の所定期間における前記建物（１１０Ａ〜１１０Ｃ）の消費電力実績量をもとに算出することを特徴とする請求項１〜請求項１２のいずれか１つに記載の電力供給システム。
【請求項１４】
前記センタ（１４０）は、前記供給可能電力量を予測する際に、前記発電電力の予測量を、現時点以前の過去の所定期間における前記発電装置（１１１）の発電電力実績量をもとに算出することを特徴とする請求項１〜請求項１３のいずれか１つに記載の電力供給システム。
【請求項１５】
前記センタ（１４０）は、前記供給可能電力量を予測する際に、前記蓄電電力の予測量を、現時点以前の過去の所定期間における前記建物蓄電池（１１２）の蓄電電力実績量をもとに算出することを特徴とする請求項１〜請求項１４のいずれか１つに記載の電力供給システム。
【請求項１６】
前記センタ（１４０）は、前記配送車（１２０Ａ〜１２０Ｃ）が走行する地域、あるいは時間帯に応じて前記車両電気機器の作動モードを変更するように前記配送車（１２０Ａ〜１２０Ｃ）に対して指令することを特徴とする請求項１〜請求項１５のいずれか１つに記載の電力供給システム。
【請求項１７】
前記センタ（１４０）は、前記供給用建物（１１０）から前記対象配送車（１２０）に対して電力を供給してもまだ前記発電電力による余剰が有る場合は、その余剰分を電力系統に売電するように前記供給用建物（１１０）に対して指令することを特徴とする請求項１〜請求項１６のいずれか１つに記載の電力供給システム。
【請求項１８】
前記センタ（１４０）は、電力系統における前記発電電力の売電価格が所定価格よりも高い場合に、前記電力収支が余剰となる電力の用途を、前記配送車（１２０Ａ〜１２０Ｃ）への電力供給と、電力系統への売電とに分け、前記売電価格に応じて前記電力供給に使用する電力量と前記売電に使用する電力量との割合を調整することを特徴とする請求項１〜請求項１６のいずれか１つに記載の電力供給システム。
【請求項１９】
前記センタ（１４０）は、前記供給用建物（１１０）から前記対象配送車（１２０）に対して電力を供給してもまだ前記発電電力による余剰が有る場合は、その余剰分を電気給湯器による高温湯の生成に使用するように前記供給用建物（１１０）に対して指令することを特徴とする請求項１〜請求項１６のいずれか１つに記載の電力供給システム。
【発明の詳細な説明】
【技術分野】
【０００１】
本発明は、複数の建物における発電装置によって得られる電力を、建物間を移動する配送車に対して計画的に供給する電力供給システムに関するものである。
【背景技術】
【０００２】
従来、例えば特許文献１に示されるように、充電スタンドから電気自動車の走行用バッテリに充電するために、電気自動車管理装置を用いた電気自動車自動運行マネジメントシステム（以下、マネジメントシステム）が知られている。
【０００３】
特許文献１におけるマネジメントシステムでは、充電スタンドおよび電気自動車の数に制限は無く、多数の充電スタンドおよび多数の電気自動車での適用が想定されている。充電スタンドは、風力発電装置、太陽光発電装置、あるいは水力発電装置等により得られた発電電力を蓄電するようになっている。また、電気自動車管理装置と、充電スタンドおよび電気自動車との間で互いの通信が可能となるように、通信手段が設けられている。
【０００４】
電気自動車管理装置は、通信手段によって電気自動車の走行用バッテリの残量が規定値以下となるものがあると判断した場合には、最寄りの充電スタンドの制御部に対して充電予約信号を送信して充電予約を行う。更に、充電予約を行った充電スタンドの位置情報を電気自動車の制御部に提供する。そして、電気自動車の制御部は、提供された情報およびカーナビゲーション装置に基づく自動運転により、充電予約した充電スタンドまで電気自動車を自動運行させるようにしている。
【０００５】
これにより、充電スタンドの予約および充電スタンドまでの運行を迅速に行うことができ、走行用バッテリの残量が少ない電気自動車を確実に充電可能な充電スタンドまで到達させることができるようにしている。
【先行技術文献】
【特許文献】
【０００６】
【特許文献１】特開２００６−１１３８９２号公報
【発明の概要】
【発明が解決しようとする課題】
【０００７】
しかしながら、上記特許文献１のマネジメントシステムにおいては、充電予約を受けた充電スタンドでは、「予約を受けた電気自動車に充電するのに必要な電気量を確保する」としている。ここで、風力、太陽光、あるいは水力等を用いた発電においては、その日の風速、天候、あるいは水量等によって大きく影響を受けるため、これらの発電条件によっては、必要な電力が得られない場合、逆に必要以上の電力が得られる場合がある。あるいは、立地条件等からして、充電が集中する充電スタンドでは、発電が間に合わず電力不足となる可能性がある。逆に充電が集中しない充電スタンドでは、充分な発電量が得られたにもかかわらず充電予約がないために電力余剰となる可能性がある。よって、特許文献１のマネジメントシステムにおいては、それぞれの充電スタンドにおいて得られる電力を多数の電気自動車に対して有効に活用することができない。
【０００８】
本発明の目的は、上記問題に鑑み、複数の建物における発電装置によって得られる電力を、建物間を移動する配送車に対して有効に活用することができる電力供給システムを提供することにある。
【課題を解決するための手段】
【０００９】
本発明は上記目的を達成するために、以下の技術的手段を採用する。
【００１０】
請求項１に記載の発明では、自然界のエネルギを用いて発電する発電装置（１１１）と、発電装置（１１１）によって得られた発電電力の一部を蓄電電力として蓄える建物蓄電池（１１２）とを有する複数の建物（１１０Ａ〜１１０Ｃ）と、
車両電気機器に電力を供給する車両蓄電池（１２２）を有し、複数の建物（１１０Ａ〜１１０Ｃ）間を移動して荷物の配送を行う複数の配送車（１２０Ａ〜１２０Ｃ）と、の情報を通信手段（１１７、１２６、１３３、１４１）によって把握して、建物（１１０Ａ〜１１０Ｃ）および配送車（１２０Ａ〜１２０Ｃ）の電力管理を行うセンタ（１４０）を備える電力供給システムにおいて、
センタ（１４０）は、
現時点から所定期間までのそれぞれの建物（１１０Ａ〜１１０Ｃ）における、発電電力の予測量と蓄電電力の予測量とに対する建物（１１０Ａ〜１１０Ｃ）の消費電力の予測量の電力収支が余剰となって、配送車（１２０Ａ〜１２０Ｃ）への電力供給が可能となる供給可能電力量を予測し、
供給可能電力量と、配送車（１２０Ａ〜１２０Ｃ）の運行ルートと、車両蓄電池（１２２）の車両蓄電電力量とに基づいて、複数の配送車（１２０Ａ〜１２０Ｃ）のうち電力供給の対象となる対象配送車（１２０）と、複数の建物（１１０Ａ〜１１０Ｃ）のうち対象配送車（１２０）に対して電力供給を行う供給用建物（１１０）と、電力供給を行うための供給用運行ルートと、供給用建物（１１０）から対象配送車（１２０）に電力供給する供給電力量とを定める電力供給計画を立案し、
電力供給計画に基づいて、建物（１１０Ａ〜１１０Ｃ）および配送車（１２０Ａ〜１２０Ｃ）に対して、供給用建物（１１０）から対象配送車（１２０）への電力供給を実行するための指令を出すことを特徴としている。
【００１１】
この発明によれば、センタ（１４０）は、複数の建物（１１０Ａ〜１１０Ｃ）において供給可能電力量を予測すると共に、電力供給計画を立案し、供給用建物（１１０）から対象配送車（１２０）への電力供給を実行するための指令を出すようにしているので、建物（１１０Ａ〜１１０Ｃ）において余剰となる供給可能電力を対象配送車（１２０）に対して供給することができ、発電装置（１１１）によって得られる電力を対象配送車（１２０）に対して有効に活用することができる。
【００１２】
請求項２に記載の発明では、センタ（１４０）は、電力供給計画を立案する際に、供給用建物（１１０）が２つ以上設定されたときに、最初の供給用建物（１１０）から供給する供給電力量として、少なくとも、対象配送車（１２０）が次に電力供給を受ける供給用建物（１１０）まで移動するのに必要とされる電力量とすることを特徴としている。
【００１３】
この発明によれば、１台の対象配送車（１２０）に対して供給する供給電力量を抑えることができるので、１つの供給用建物（１１０）から多数の対象配送車（１２０）に対して電力供給することが可能となる。また、対象配送車（１２０）にとっては、一度に多量の電力供給を受けるわけではなく、最低限度の電力供給を供給用建物（１１０）間で順に受けることになるので、車両蓄電池（１２２）を過度に大型にする必要がなく、対象配送車（１２０）の軽量化および低コスト化を図ることができる。
【００１４】
請求項３に記載の発明では、センタ（１４０）は、電力供給計画を立案する際に、供給電力量を、供給用運行ルートに基づく対象配送車（１２０）の走行距離、走行時間、供給用運行ルートにおける渋滞情報、外気温度、荷物の重さ、および荷物の保冷に必要とされる熱量のうち、少なくとも１つによって対象配送車（１２０）が使用すると予測される予測電力量をもとに定めることを特徴としている。
【００１５】
この発明によれば、対象配送車（１２０）の実際の走行条件に即した予測電力量の推定が可能となり、この予測電力量から供給電力量を精度良く定めることができる。
【００１６】
請求項４に記載の発明では、センタ（１４０）は、電力供給計画を立案する際に、供給電力量を、過去の所定期間での対象配送車（１２０）の配送時における使用電力実績量をもとに定めることを特徴としている。
【００１７】
この発明によれば、対象配送車（１２０）の過去の使用電力実績量に即した必要電力量の予測が可能となり、この必要電力量から供給電力量を精度良く定めることができる。
【００１８】
請求項５に記載の発明では、センタ（１４０）は、電力供給計画を立案する際に、供給電力量では対象配送車（１２０）が必要とする電力量が賄えない場合には、供給用建物（１１０）において配電系統からの商用電力を活用して電力供給する供給電力量に設定することを特徴としている。
【００１９】
この発明によれば、余剰によって得られた供給電力量では対象配送車（１２０）に対して賄えない場合であっても、入手容易な商用電力を活用して電力供給するので、対象配送車（１２０）が必要とする電力量を確実に供給することができる。
【００２０】
請求項６に記載の発明では、センタ（１４０）は、電力供給計画を立案する際に、供給用建物（１１０）のうち、対象配送車（１２０）に対して最も近い供給用建物（１１０）から優先して供給用運行ルートを定めることを特徴としている。
【００２１】
この発明によれば、もともとの運行ルートに対して対象配送車（１２０）が迂回する分を小さくすることができるので、適切な供給用運行ルートとして設定することができる。
【００２２】
請求項７に記載の発明では、センタ（１４０）は、電力供給計画を立案する際に、供給用建物（１１０）のうち、供給可能電力量が最も大きい供給用建物（１１０）から優先して供給用運行ルートを定めることを特徴としている。
【００２３】
この発明によれば、対象配送車（１２０）が必要とする電力量に対して供給用建物（１１０）からの電力供給に不足があったとしても、その不足量を小さくした対応が可能となる。
【００２４】
請求項８に記載の発明では、センタ（１４０）は、優先して定めた供給用建物（１１０）に向かう対象配送車（１２０）が複数となったとき、複数の対象配送車（１２０）のうち、配送のための走行距離の最も長い対象配送車（１２０）、あるいは走行距離あたりの荷物コストが最も高い対象配送車（１２０）に対して電力供給を優先するように前記電力供給計画を立案することを特徴としている。
【００２５】
この発明によれば、複数の対象配送車（１２０）に対して重要度を設けた選択が容易にできる。
【００２６】
請求項９に記載の発明では、センタ（１４０）は、優先して定めた供給用建物（１１０）に向かう対象配送車（１２０）が複数となったとき、複数の対象配送車（１２０）のうち、供給される電力の使用によって環境に対するクリーン度の向上度合いが最も高くなる対象配送車（１２０）に対して電力の供給を優先するように前記電力供給計画を立案することを特徴としている。
【００２７】
この発明によれば、対象配送車（１２０）の環境に対するクリーン度を高めることができるので、複数の建物（１１０Ａ〜１１０Ｃ）が設けられる地域の環境改善に繋げることができる。
【００２８】
請求項１０に記載の発明では、センタ（１４０）は、逐次、建物（１１０Ａ〜１１０Ｃ）における建物蓄電池（１１２）の蓄電電力量のデータと、配送車（１２０Ａ〜１２０Ｃ）における車両蓄電電力量のデータとを入手しており、
蓄電電力量のデータと車両蓄電電力量のデータとに応じて、供給用運行ルートを更新することを特徴としている。
【００２９】
この発明によれば、供給用建物（１１０）から対象配送車（１２０）に対して電力供給を行っていくと、時間経過と共に蓄電電力量および車両蓄電電力量は変化していくので、これらの蓄電電力の情報をもとに、供給用運行ルートを更新していくことで、その時々での最適な電力供給が可能となる。
【００３０】
請求項１１に記載の発明では、センタ（１４０）は、配送車（１２０Ａ〜１２０Ｃ）における荷物の量、および供給用運行ルートにおける渋滞情報に応じて供給用運行ルートを更新することを特徴としている。
【００３１】
この発明によれば、配送車（１２０Ａ〜１２０Ｃ）における荷物の量、および供給用運行ルートにおける渋滞の状況は、時々刻々と変化していくので、これらの荷物の量、および渋滞情報をもとに、供給用運行ルートを更新していくことで、その時々での最適な電力供給が可能となる。
【００３２】
請求項１２に記載の発明では、センタ（１４０）は、電力供給を実行するための指令を出す際に、対象配送車（１２０）の荷物の積み降ろしにかかる停車時間を予測し、停車時間に応じて供給用建物（１１０）における電力供給速度を指示することを特徴としている。
【００３３】
この発明によれば、対象配送車（１２０）の停車時間を有効に活用した電力供給が可能となるので、電力供給を行うことによって停車時間が延びるのを抑制することができる。
【００３４】
請求項１３に記載の発明では、センタ（１４０）は、供給可能電力量を予測する際に、消費電力の予測量を、現時点以前の過去の所定期間における建物（１１０Ａ〜１１０Ｃ）の消費電力実績量をもとに算出することを特徴としている。
【００３５】
この発明によれば、供給可能電力量を予測するにあたって、消費電力の予測量として過去の消費電力実績量をもとに算出するので、供給可能電力量の予測精度を高めることができる。
【００３６】
請求項１４に記載の発明では、センタ（１４０）は、供給可能電力量を予測する際に、発電電力の予測量を、現時点以前の過去の所定期間における発電装置（１１１）の発電電力実績量をもとに算出することを特徴としている。
【００３７】
この発明によれば、供給可能電力量を予測するにあたって、発電電力の予測量として過去の発電電力実績量をもとに算出するので、供給可能電力量の予測精度を高めることができる。
【００３８】
請求項１５に記載の発明では、センタ（１４０）は、供給可能電力量を予測する際に、蓄電電力の予測量を、現時点以前の過去の所定期間における建物蓄電池（１１２）の蓄電電力実績量をもとに算出することを特徴としている。
【００３９】
この発明によれば、供給可能電力量を予測するにあたって、蓄電電力の予測量として過去の蓄電電力実績量をもとに算出するので、供給可能電力量の予測精度を高めることができる。
【００４０】
請求項１６に記載の発明では、センタ（１４０）は、配送車（１２０Ａ〜１２０Ｃ）が走行する地域、あるいは時間帯に応じて車両電気機器の作動モードを変更するように配送車（１２０Ａ〜１２０Ｃ）に対して指令することを特徴としている。
【００４１】
この発明によれば、地域や時間帯に応じて車両電気機器の作動モードを変更することで、車両電気機器の作動に必要とされる電力、および作動時に発生する騒音レベル等を地域や時間帯に適した値に調整することが可能となるので、省電力化および低騒音化が可能となる。
【００４２】
請求項１７に記載の発明では、センタ（１４０）は、供給用建物（１１０）から対象配送車（１２０）に対して電力を供給してもまだ発電電力による余剰が有る場合は、その余剰分を電力系統に売電するように供給用建物（１１０）に対して指令することを特徴としている。
【００４３】
この発明によれば、供給用建物（１１０）において対象配送車（１２０）に対して電力を供給してもまだ余剰となる分については売電するので、供給用建物（１１０）で得られる余剰電力を余すことなく活用することができる。また、売電による金銭的な利益も得られる。
【００４４】
請求項１８に記載の発明では、センタ（１４０）は、電力系統における発電電力の売電価格が所定価格よりも高い場合に、電力収支が余剰となる電力の用途を、配送車（１２０Ａ〜１２０Ｃ）への電力供給と、電力系統への売電とに分け、売電価格に応じて電力供給に使用する電力量と売電に使用する電力量との割合を調整することを特徴としている。
【００４５】
この発明によれば、売電価格が所定価格よりも高い場合に、電力供給に使用する電力量よりも売電に使用する電力量を多くすることで、売電による金銭的な利益を拡大することができる。
【００４６】
請求項１９に記載の発明では、センタ（１４０）は、供給用建物（１１０）から対象配送車（１２０）に対して電力を供給してもまだ発電電力による余剰が有る場合は、その余剰分を電気給湯器による高温湯の生成に使用するように供給用建物（１１０）に対して指令することを特徴としている。
【００４７】
この発明によれば、余剰電力から高温湯を生成して、熱エネルギとして活用することができ、エネルギの利用範囲を拡大することができる。
【００４８】
尚、上記各手段の括弧内の符号は、後述する実施形態記載の具体的手段との対応関係を示すものである。
【図面の簡単な説明】
【００４９】
【図１】電力供給システムの全体構成を示す全体構成図である。
【図２】電力供給システムの詳細構成を示す詳細構成図である。
【図３】データセンタが行う電力供給の流れを示すフロー図である。
【発明を実施するための形態】
【００５０】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００５１】
（第１実施形態）
以下、第１実施形態における電力供給システム１００の構成について、図１〜図３を用いて説明する。図１は電力供給システム１００の全体構成を示す全体構成図、図２は電力供給システム１００の詳細構成を示す詳細構成図、図３は電力供給システム１００における電力供給の流れを示すフロー図である。
【００５２】
図１に示すように、電力供給システム１００は、太陽光発電装置１１１および店舗蓄電池１１２を有する複数の建物１１０Ａ〜１１０Ｃと、車両蓄電池１２２を有する複数の配送車１２０Ａ〜１２０Ｃと、配送車１２０Ａ〜１２０Ｃの運行管理を行う集配センタ１３０と、の各種情報を把握して、建物１１０Ａ〜１１０Ｃおよび配送車１２０Ａ〜１２０Ｃの電力管理を行うデータセンタ１４０を備えている。電力供給システム１００においては、データセンタ１４０からの指令により、建物１１０Ａ〜１１０Ｃから配送車１２０Ａ〜１２０Ｃへの電力供給が行われるようになっている。
【００５３】
複数の建物１１０Ａ〜１１０Ｃは、所定地域内で１つのグループを構成する系列店舗であり、例えばコンビニエンスストア、レストラン、およびファーストフード店等のフランチャイズチェーンの加盟店となっている。以下、「建物」を「店舗」と表記する。また、所定地域とは、例えば１つの市内（主要都市）、あるいは隣接する複数の市にまたがった地域等である。本実施形態では、複数の店舗１１０Ａ〜１１０Ｃとして、コンビニエンスストアを例として説明する。尚、店舗１１０Ａ〜１１０Ｃの数は、図１に示す３店に限定されるものでは無く、２つ、４つ以上といった種々の数の設定があり得る。
【００５４】
各店舗１１０Ａ〜１１０Ｃには、照明、バーコードリーダ、冷蔵庫、エアコン等の店舗用電気機器が設けられている。店舗用電気機器に対しては、電力系統から交流の商用電力が供給される場合、太陽光発電装置１１１から発電電力が供給される場合、あるいは店舗蓄電池１１２から蓄電電力が供給される場合がある。店舗用電気機器で消費される電力は、本発明における建物で消費される電力（消費電力）に対応する。
【００５５】
また、各店舗１１０Ａ〜１１０Ｃには、図２に示すように、太陽光発電装置１１１、店舗蓄電池１１２、充電監視部１１３、充電制御部１１４、変換部１１５、表示部１１６、および通信部１１７等が設けられている。
【００５６】
太陽光発電装置１１１は、自然界のエネルギを利用可能な再生可能エネルギに変換する再生可能エネルギ発生装置であり、ここでは、太陽光電池パネルによる光起電力効果を利用して太陽光エネルギを電気エネルギに直接的に変換して直流の電力を得る発電装置としている。太陽光発電装置１１１によって得られた電力は、本発明における発電電力に対応する。太陽光発電装置１１１によって得られた発電電力は、パワーコンディショナによって交流に変換されて、店舗用電気機器に供給されるようになっている。また、太陽光発電装置１１１によって得られる発電電力と、店舗用電気機器によって消費される消費電力とのバランスに応じて、発電電力の一部は、直流のまま店舗蓄電池１１２に蓄電されるようになっている。
【００５７】
つまり、太陽光発電装置１１１によって得られる発電電力量は、発電時の天候に大きく左右される。晴天時に比べて、曇天時、雨天時等では発電電力量は低下する。また、夏場に対して冬場では発電電力量は低下する。更に、日没後の夜間時では、太陽光発電装置１１１による発電電力は得られない。よって、太陽光発電装置１１１によって得られる発電電力が、店舗用電気機器の消費電力を上回る場合には、余剰電力として店舗蓄電池１１２に蓄電されるようになっている。
【００５８】
店舗蓄電池１１２は、太陽光発電装置１１１によって得られた発電電力の一部（余剰電力）を一時的に蓄電する建物蓄電池である。店舗蓄電池１１２に蓄電される電力は、本発明における蓄電電力に対応する。そして、店舗蓄電池１１２は、蓄電された蓄電電力を店舗電気機器、あるいは車両蓄電池１２２に対して放電することが可能となっている。尚、店舗蓄電池１１２は、直流に変換された商用電力を蓄電することも可能となっている。
【００５９】
充電監視部１１３は、店舗蓄電池１１２において例えば電圧等を計測することで時間経過と共に変化する蓄電電力量（フル蓄電量に対する蓄電量）を常時、あるいは定期的に監視する監視手段である。充電監視部１１３の監視によって得られた現時点以前の過去の所定期間における店舗蓄電池１１２の蓄電電力量のデータは、充電制御部１１４のデータベースに出力されるようになっている。
【００６０】
充電制御部１１４は、太陽光発電装置１１１によって得られた発電電力を店舗蓄電池１１２に充電する際の充電量、あるいは店舗蓄電池１１２の蓄電電力を車両蓄電池１２２に充電する際の充電量、充電速度を制御する制御手段である。また、充電制御部１１４は経過時間と共に変化する発電電力量と、店舗電気機器によって消費されて経過時間と共に変化する消費電力量とを常時、あるいは定期的に監視している。また、充電制御部１１４は、データベースを備えており、このデータベースには、上記蓄電電力量のデータに加えて、発電電力量のデータと、消費電力量のデータとが記憶されている。発電電力量のデータおよび消費電力量のデータは、現時点以前の過去の所定期間におけるデータとなっている。
【００６１】
上述した蓄電電力量のデータ、発電電力量のデータ、および消費電力量のデータにおける過去の所定期間というのは、例えば過去１年の期間である。データベースに記憶された各電力量のデータから日、週、月、季節、天候、店舗周辺のイベントの有無等による発電電力量、蓄電電力量、および消費電力量の傾向が把握できることになる。
【００６２】
変換部１１５は、例えばインバータやコンバータ等を用いて交流電力を直流電力に変換する、あるいは直流電力を交流電力に変換する変換手段である。変換部１１５は、例えば店舗蓄電池１１２の蓄電電力（直流電力）を交流電力に変換して店舗電気機器に供給する。あるいは必要に応じて、変換部１１５は、電力系統から供給される交流電力を直流電力に変換して店舗蓄電池１１２に供給する。
【００６３】
表示部１１６は、例えばディスプレイ等の表示装置等によって充電制御部１１４に記憶された各種データを各店舗１１０Ａ〜１１０Ｃの店員に表示する表示手段である。店員は必要に応じて、自身が働く店舗１１０Ａ〜１１０Ｃにおける電力状況について表示部１１６を用いて知ることができる。
【００６４】
通信部１１７は、各店舗１１０Ａ〜１１０Ｃとデータセンタ１４０（通信部１４１）との間で各種データ、情報、および信号等をリアルタイムで送受信する通信手段である。通信部１１７は、現時点以前の過去の所定期間における発電電力量のデータと、蓄電電力量のデータと、消費電力量のデータとを通信部１４１に送信する。また、通信部１１７は、通信部１４１から送信される電力供給計画情報（詳細後述）を受信する。更に、通信部１１７は、配送車１２０Ａ〜１２０Ｃ（通信部１２６）との間で電力供給に関する充放電の信号を送受信するようになっている。通信部１２６から送信されて通信部１１７にて受信される信号は充電要求信号であり、通信部１１７から通信部１２６に送信される信号は充電終了信号である。
【００６５】
複数の配送車１２０Ａ〜１２０Ｃは、図１に示すように、車両蓄電池１２２を備えており、各店舗１１０Ａ〜１１０Ｃに対して、所定の集荷場から積み込んだ荷物（商品等）を、集配センタ１３０にて予め作成された運行ルートに基づいて移動して順に配送していく車両である。配送車１２０Ａ〜１２０Ｃは、例えば配送の周期を半日とした時に、この半日をかけて各店舗１１０Ａ〜１１０Ｃを運行ルートの順に移動して、各店舗１１０Ａ〜１１０Ｃからオーダーされた荷物を配送していく。尚、配送車１２０Ａ〜１２０Ｃの数は、図１に示す３台に限定されるものでは無く、２台、４台以上といった種々の数の設定があり得る。
【００６６】
ここで、配送車１２０Ａ〜１２０Ｃとしては、例えば、走行用駆動源として走行用モータを備える電気自動車やハイブリッド自動車、あるいは、生鮮食品等の荷物（商品）を載せる冷凍庫を備えるエンジン駆動の自動車等が使用されている。
【００６７】
電気自動車やハイブリッド自動車においては、走行用モータは車両蓄電池１２２から供給される電力によって駆動される。走行用モータは、本発明における車両電気機器に対応する。また、エンジン駆動の自動車における冷凍庫内の空気は、図示しない冷凍サイクルの冷却用熱交換器によって冷却されて、冷凍庫内の温度が所定の温度に維持されるようになっている。そして、冷凍サイクル内の冷媒を循環させるコンプレッサとして、エンジンによって駆動されるベルト駆動コンプレッサに加えて、電動モータによって駆動される電動コンプレッサが設けられている。ベルト駆動コンプレッサは、通常、配送車１２０Ａ〜１２０Ｃの走行時に、エンジンによって駆動されるようになっている。また、電動コンプレッサは、荷物を積んだり降ろしたりするために配送車１２０Ａ〜１２０Ｃが停車されて、エンジン燃料の消費量低減のためにエンジンが停止されたときに（アイドルストップ時に）、車両蓄電池１２２から供給される電力によって駆動されるようになっている。電動コンプレッサは、上記走行用モータと同様に、本発明における車両電気機器に対応する。
【００６８】
そして、配送車１２０Ａ〜１２０Ｃには、図２に示すように、全地球測位システム１２１、車両蓄電池１２２、充電監視部１２３、充電制御部１２４、表示部１２５、および通信部１２６等が設けられている。
【００６９】
全地球測位システム１２１は、例えば地図データの画面上に自車の位置、および集配センタ１３０から指示される運行ルートに基づく道順等を示すカーナビゲーション装置等を用いたシステムである。全地球測位システム１２１については、以下ＧＰＳ（Ｇｌｏｂａ  Ｐｏｓｉｔｉｏｎｉｎｇ  Ｓｙｓｔｅｍ）１２１と呼ぶことにする。配送車１２０Ａ〜１２０Ｃの運転手（乗員）は、ＧＰＳ１２１の表示、あるいは指示に基づいて配送車１２０Ａ〜１２０Ｃを運転し、荷物を配送することが可能となる。
【００７０】
車両蓄電池１２２は、走行用モータや電動コンプレッサ等の車両電気機器に電力を供給する電池である。車両蓄電池１２２は、例えば数百ボルトの電位を有する高電圧バッテリが使用される。車両蓄電池１２２の電圧は、昇降圧回路等によって所定の電圧に調整されて、走行用モータや電動コンプレッサに供給されるようになっている。
【００７１】
充電監視部１２３は、車両蓄電池１２２において例えば電圧等を計測することで時間経過と共に変化する車両蓄電電力量（フル充電容量に対する実充電量）を常時、あるいは定期的に監視する監視手段である。充電監視部１２３の監視によって得られた現時点以前の過去の所定期間における車両蓄電電力量のデータは、充電制御部１２４のデータベースに出力されるようになっている。過去の所定期間というのは、例えば過去１年の期間である。
【００７２】
充電制御部１２４は、店舗蓄電池１１２の蓄電電力を車両蓄電池１２２に充電する際の充電量や充電速度を制御する制御手段である。充電制御部１２４はデータベースを備えており、このデータベースには、上記車両蓄電池１２２における車両蓄電電力量のデータが記憶されている。車両蓄電電力量のデータから、車両蓄電池１２２における現在の蓄電電力量と、過去の所定期間での消費電力実績量が把握できる。
【００７３】
表示部１２５は、例えばディスプレイ等の表示装置等によって充電制御部１２４に記憶された車両蓄電電力量のデータを配送車１２０Ａ〜１２０Ｃの運転手（乗員）に表示する表示手段である。運転手（乗員）は必要に応じて、自身が運転する配送車１２０Ａ〜１２０Ｃの車両蓄電池１２２における電力状況について表示部１２５を用いて知ることができる。
【００７４】
通信部１２６は、各配送車１２０Ａ〜１２０Ｃと集配センタ１３０（通信部１３３）との間、および各配送車１２０Ａ〜１２０Ｃと各店舗１１０Ａ〜１１０Ｃ（通信部１１７）との間で各種データ、情報、および信号等をリアルタイムで送受信する通信手段である。通信部１２６は、通信部１３３から送信される運行ルート情報と、データセンタ１４０にて作成された電力供給計画情報とを受信する。また、通信部１２６は、車両蓄電池１２２における車両蓄電電力量のデータを通信部１３３に送信する。更に、通信部１２６は、店舗１１０Ａ〜１１０Ｃ（通信部１１７）との間で電力供給に関する充放電の信号を送受信するようになっている。通信部１２６から送信されて通信部１１７にて受信される信号は充電要求信号であり、通信部１１７から通信部１２６に送信される信号は充電終了信号である。
【００７５】
集配センタ１３０は、配送車１２０Ａ〜１２０Ｃの運行を管理するセンタである。集配センタ１３０には、運行計画部１３１、運行管理部１３２、通信部１３３、および表示部１３４等が設けられている。
【００７６】
運行計画部１３１は、配送車１２０Ａ〜１２０Ｃに対する配送にかかる運行計画（以下、運行ルート）を作成する計画手段である。運行ルートとは、使用する配送車１２０Ａ〜１２０Ｃのタイプ（モータ走行、エンジン走行、冷凍庫有無、トラック、乗用車等）、当日の配送周期のスタート時点となる出発時刻、集荷場で積み込む荷物の種類と量（どの店舗用にどの荷物をどれだけ積み込むか）、巡回する店舗の順番等が設定されたものである。運行計画部１３１で設定された運行ルートの情報は、運行管理部１３２のデータベースに出力されるようになっている。
【００７７】
運行管理部１３２は、運行計画部１３１にて作成された運行ルート情報、およびデータセンタ１４０にて作成された電力供給計画情報をもとに、各配送車１２０Ａ〜１２０Ｃに対して指示を行い、運行の管理を行う管理手段である。また、運行管理部１３２は、データセンタ１４０に対して必要とされる運行ルートの情報や車両蓄電電力量のデータを提供する。
【００７８】
通信部１３３は、集配センタ１３０と各配送車１２０Ａ〜１２０Ｃ（通信部１２６）との間、および集配センタ１３０とデータセンタ１４０（通信部１４１）との間で各種データ、および情報等をリアルタイムで送受信する通信手段である。通信部１３３は、運行ルートの情報を通信部１２６、１４１に送信する。また、通信部１３３は、通信部１２６から送信される車両蓄電電力量のデータを受信して、通信部１４１に送信する。また、通信部１３３は、通信部１４１から送信される電力供給計画情報を受信して、通信部１２６に送信する。通信部１３３によって受信された車両蓄電電力量のデータ、および電力供給計画情報は、運行管理部１３２のデータベースに記憶されるようになっている。
【００７９】
表示部１３４は、例えばディスプレイ等の表示装置等によって運行管理部１３２に記憶された運行ルートの情報、車両蓄電電力量のデータ、および電力供給計画情を集配センタ１３０で働く職員に表示する表示手段である。職員は必要に応じて、配送車１２０Ａ〜１２０Ｃにおける運行状況について表示部１３４を用いて知ることができる。
【００８０】
データセンタ１４０は、各店舗１１０Ａ〜１１０Ｃを１つのグループとして、各店舗１１０Ａ〜１１０Ｃと、各配送車１２０Ａ〜１２０Ｃとの各種情報を把握して、店舗１１０Ａ〜１１０Ｃと、配送車１２０Ａ〜１２０Ｃとの電力管理を行うセンタである。データセンタ１４０には、通信部１４１、データベース１４２、充電管理部１４３、電力予測部１４３ａ、運行管理部１４４、走行予測部１４４ａ、制御部１４５、および表示部１４６等が設けられている。
【００８１】
通信部１４１は、データセンタ１４０と各店舗１１０Ａ〜１１０Ｃ（通信部１１７）との間、およびデータセンタ１４０と集配センタ１３０（通信部１３３）との間で各種データ、および情報をリアルタイムで送受信する通信手段である。通信部１４１は、通信部１１７から送信される発電電力量のデータと、蓄電電力量のデータと、消費電力量のデータとを受信する。また、通信部１４１は、通信部１３３から送信される運行ルート情報と、車両蓄電電力量のデータとを受信する。更に、通信部１４１は、通信部１１７、１３３に対してデータセンタ１４０（制御部１４１）にて作成された電力供給計画情報を送信する。
【００８２】
データベース１４２は、通信部１４１で受信した各種データおよび情報、更には制御部１４５で扱う各種データおよび情報等を記憶する記憶手段である。
【００８３】
電力予測部１４３ａは、各店舗１１０Ａ〜１１０Ｃのうち、どの店舗で電力が余剰となって配送車１２０Ａ〜１２０Ｃに対して電力供給が可能となるか、および各配送車１２０Ａ〜１２０Ｃのうち、どの配送車の車両蓄電池１２２の車両蓄電電力量が不足となっているのかを予測する予測手段である。電力予測部１４３ａは、各店舗１１０Ａ〜１１０Ｃにおける発電電力量のデータと、蓄電電力量のデータと、消費電力量のデータをもとにして、各店舗１１０Ａ〜１１０Ｃの電力の余剰状態を予測し、また、各配送車１２０Ａ〜１２０Ｃにおける車両蓄電電力量のデータをもとに、各配送車１２０Ａ〜１２０Ｃの電力の不足状態を予測する。
【００８４】
充電管理部１４３は、電力予測部１４３ａによって予測された内容をもとに、どの店舗から、どの配送車に、いつどれだけの電力を供給するかを管理する管理手段である。
【００８５】
走行予測部１４４ａは、運行ルート情報をもとに、どの配送車が、どのようなルートを通って、いつ、どの店舗に到着するかを予測する予測手段である。走行予測部１４４ａは、配送車１２０Ａ〜１２０Ｃの走行ルートを予測することで、走行距離を予測することができる。また、走行予測部１４４ａは、配送車１２０Ａ〜１２０Ｃの走行距離を予測することで走行時間を予測することができる。
【００８６】
運行管理部１４４は、各店舗１１０Ａ〜１１０Ｃから各配送車１２０Ａ〜１２０Ｃに対する電力供給のために、走行予測部１４４ａによって予測された内容をもとに、もともとの運行ルートに対して、どの配送車を、どのルートで、どの店舗に立ち寄らせるかを管理する管理手段である。
【００８７】
制御部１４５は、各店舗１１０Ａ〜１１０Ｃおよび各配送車１２０Ａ〜１２０Ｃに対して、各店舗１１０Ａ〜１１０Ｃから各配送車１２０Ａ〜１２０Ｃに電力供給を実行するための指令を出す制御手段である。制御部１４５は、充電管理部１４３、および運行管理部１４４にて決められた管理内容をもとに、どの配送車に対して、どのようなルートを通って、いつ、どの店舗で、どれだけの電力量を供給すべきか、という電力供給計画を作成し、その電力供給計画に基づいて、電力供給の実行を指令する。電力供給計画、および電力供給計画を作成するに当たって使用された各種データ、情報等は、データベース１４２に記憶されるようになっている。
【００８８】
表示部１４６は、例えばディスプレイ等の表示装置等によってデータベース１４２に記憶された電力供給計画、および各種データ、情報をデータセンタ１４０で働くセンタ職員に表示する表示手段である。センタ職員は必要に応じて、電力供給計画、および各種データ、情報について表示部１４６を用いて知ることができる。
【００８９】
尚、データセンタ１４０では、インターネットによって、天候、気温、主要道路における渋滞情報等が取得できるようになっている。得られた天候、気温、渋滞情報等はデータベース１４２に記憶されるようになっている。
【００９０】
以下、電力供給システム１００における電力供給の要領の詳細について、図３を加えて説明する。尚、各店舗１１０Ａ〜１１０Ｃ、各配送車１２０Ａ〜１２０Ｃ、集配センタ１３０、およびデータセンタ１４０間における各種データ、情報、信号等の送受信は、実際には上記で説明した各通信部１１７、１２６、１３３、１４１が行うものであるが、以下の記載においては、「各店舗１１０Ａ〜１１０Ｃ、各配送車１２０Ａ〜１２０Ｃ、集配センタ１３０、およびデータセンタ１４０が送受信する」という表現で説明していく。
【００９１】
まず、図３のステップＳ１００に示すように、各店舗１１０Ａ〜１１０Ｃは、充電監視部１１３および充電制御部１１４の監視によって得られた現時点以前の過去の所定期間における発電電力量のデータと、蓄電電力量のデータと、消費電力量のデータとをデータセンタ１４０に送信する。
【００９２】
データセンタ１４０は、ステップＳ１１０で、各店舗１１０Ａ〜１１０Ｃから出力された各電力量のデータを用いて、現時点から所定期間までの各店舗１１０Ａ〜１１０Ｃの発電電力予測量、蓄電電力予測量、および消費電力予測量を算出（予測）する。ここでデータセンタ１４０は、上記の所定期間を配送周期に基づいて決定するようにしている。所定期間は、例えば、配送車１２０Ａ〜１２０Ｃが各店舗１１０Ａ〜１１０Ｃを移動する配送周期が半日であれば、これと同一の時間を所定期間として定めることができる。
【００９３】
発電電力予測量および蓄電電力予測量の算出にあたっては、それぞれ過去と同一時期の発電電力量データおよび蓄電電力量データを基に、現時点から所定期間までの天候（日射量）、気温、湿度、風力等を加味して算出する。また、消費電力予測量の推定にあたっては、過去と同一時期の消費電力量データを基に、現時点から所定期間における特別なイベントの有無等を加味して算出する。過去と同一時期の発電電力量データ、蓄電電力量データ、および消費電力量データは、それぞれ、本発明における発電電力実績量、蓄電電力実績量、および消費電力実績量に対応する。つまり、データセンタ１４０は、過去の各電力実績量をもとに、各電力予測量を算出する。
【００９４】
そして、データセンタ１４０は、発電電力予測量と蓄電電力予測量とに対する消費電力予測量の電力収支をもとに、各店舗１１０Ａ〜１１０Ｃにおける供給可能電力量を算出（予測）する。ここで、
各店舗の電力収支＝（発電電力予測量＋蓄電電力予測量）−消費電力予測量
としたときに、上記電力収支がプラス（余剰）となる場合の電力量が供給可能電力量となる。電力収支がプラスとなる店舗は、配送車１２０Ａ〜１２０Ｃに対する電力の供給を可能とする供給可能店舗となる。供給可能店舗は、本発明における供給用建物に対応する。以下、供給可能店舗を便宜上、供給可能店舗１１０と表記することとする。
【００９５】
このとき、集配センタ１３０は、ステップＳ１２０で、計画立案した本来の運行ルートの情報を、各配送車１２０Ａ〜１２０Ｃ、およびデータセンタ１４０に送信する。
【００９６】
また、各配送車１２０Ａ〜１２０Ｃは、ステップＳ１３０で、充電監視部１２３の監視によって得られた現時点以前の過去の所定期間における車両蓄電電力量のデータを、集配センタ１３０に送信する。そして、集配センタ１３０は、各配送車１２０Ａ〜１２０Ｃから受信した車両蓄電電力量のデータを、データセンタ１４０に送信する。
【００９７】
そして、ステップＳ１４０で、データセンタ１４０は、各配送車１２０Ａ〜１２０Ｃにおける車両必要電力量を算出（予測）する。車両必要電力量は、各配送車１２０Ａ〜１２０Ｃが各店舗１１０Ａ〜１１０Ｃを巡回するために車両蓄電池１２２において使用されると予測される予測電力量から、現在の車両蓄電電力量を差し引いた電力量（不足電力量）である。データセンタ１４０は、例えば以下のように、車両必要電力量を算出する。
【００９８】
（ａ）即ち、データセンタ１４０は、供給可能店舗１１０までの走行距離、予想走行時間、渋滞情報、外気温度、荷物の重さ、および荷物の保冷に必要とされる熱量（電動コンプレッサを作動させるために必要な電力）等のうち、少なくとも１つの条件を用いて予測電力量を推定して、車両必要電力量を算出する。
【００９９】
（ｂ）あるいは、データセンタ１４０は、各配送車１２０Ａ〜１２０Ｃの過去の所定期間における使用電力実績値を用いて、更に天候、移動曜日、移動時間、外気温度等を加味して、車両必要電力量を算出する。
【０１００】
尚、天候、外気温度は、インターネットによって入手したデータや、車載プローブのデータ（ワイパ、外気温データ）と季節・時刻のデータから推定する。
【０１０１】
そして、データセンタ１４０は、ステップＳ１５０で、供給可能店舗１１０における供給可能電力量のデータと、集配センタ１３０から送信された運行ルート情報および上記で算出した車両必要電力量のデータとをもとに、電力供給計画を立案する。電力供給計画は、どの配送車に対して、どのようなルート（本発明における供給用運行ルートに対応）を通って、いつどの店舗（本発明における供給用建物に対応）で、どれだけの電力量（本発明における供給電力量に対応）を供給すべきか、といった内容を取り決めた計画である。
【０１０２】
データセンタ１４０は、例えば配送車１２０Ａ〜１２０Ｃのうち、各店舗１１０Ａ〜１１０Ｃを巡回するにあたって、現在の車両蓄電電力では不足すると予測される配送車に対して、電力が余剰となる供給可能店舗１１０から確実に電力供給されるように、且つ配送車の走行するルートが最短となるように電力供給計画を作成する。以下、配送車１２０Ａ〜１２０Ｃのうち、現在の車両蓄電電力では不足すると予測される配送車を便宜上、電力不足車１２０と表記することとする。電力不足車１２０は、本発明における電力供給の対象となる対象配送車に対応する。
【０１０３】
ルートの設定に当たっては、
（１）電力不足車１２０における滞在店での電力供給を考慮して、電力不足車１２０毎に供給用運行ルートを算出する。供給用運行ルートについては、初期の運行ルートをもとに、例えば、供給可能店舗１１０のうち、電力不足車１２０から最も近い店舗から順に巡回するルートとして新たに定める。
【０１０４】
（２）上記（１）の中から最も重要度の高い電力不足車１２０から優先して決定する。重要度の高い電力不足車１２０は、例えば配送にかかる走行距離が最も長い配送車、あるは走行距離あたりの荷物コストが最も高い電力不足車１２０である。あるいは、重要度の高い電力不足車１２０は、電力供給によって、環境に対するクリーン度の向上度合いが最も高くなる電力不足車１２０である。例えば、保冷車において、乗用車とトラックとでは、エンジンからの排気に伴うＣＯ２排出量は、乗用車よりもトラックの方が大きい。よって、停車時にアイドルストップを行い、車両蓄電池１２２の電力で電動コンプレッサを作動させた場合、乗用車よりもトラックの方が環境に対するクリーン度が向上するのである。
【０１０５】
（３）上記（２）の過程で既に決定した電力不足車１２０に対して、電力供給が重複する電力不足車１２０がある場合は、別の経路候補を探索する。
【０１０６】
（４）上記（２）と（３）を繰り返す。
【０１０７】
上記供給用運行ルートを設定するに際に、データセンタ１４０は、供給可能店舗１１０から電力不足車１２０に電力供給するにあたって、供給可能店舗１１０が複数ある場合、複数の供給可能店舗１１０のうち、最も近い１つの供給可能店舗１１０から電力不足車１２０に電力供給する、あるいは電力不足車１２０が複数の供給可能店舗１１０を巡回して行く中で複数の供給可能店舗１１０から順に電力供給するようにすることができる。また、複数の供給可能店舗１１０から順に電力供給する際には、１つの供給可能店舗１１０からできるだけ多くの電力不足車１２０に電力供給できるようにするために、１回当たりの電力供給量を制限することができる。例えば、電力供給量として、電力不足車１２０が滞在店から次の供給可能店舗１１０に移動するために必要とされる最小限の電力量とすることができる。尚、電力供給を実施するタイミングは、電力不足車１２０が最初の供給可能店舗１１０に到着すると予想される時刻となる。
【０１０８】
データセンタ１４０は、上記で作成した電力供給計画情報を各店舗１１０Ａ〜１１０Ｃ、および集配センタ１３０に送信する。集配センタ１３０は、受信した電力供給計画情報を各配送車１２０Ａ〜１２０Ｃに送信する。つまり、データセンタ１４０は、各店舗１１０Ａ〜１１０Ｃ、および各配送車１２０Ａ〜１２０Ｃに対して、電力供給のための指令を出すのである。
【０１０９】
各配送車１２０Ａ〜１２０Ｃのうち、電力不足車１２０は、電力供給計画情報を受け取ると、本来の運行ルートを供給用運行ルートに変更して各店舗１１０Ａ〜１１０Ｃ間を移動する。
【０１１０】
そして、電力不足車１２０が供給可能店舗１１０に到着すると、ステップＳ１６０で、運転手（乗員）によって、車両蓄電池１２２と店舗蓄電池１１２とが電気的に接続される。すると、車両蓄電池１２２側から店舗蓄電池１１２側に充電要求信号が出力される。
【０１１１】
そして、ステップＳ１７０で、供給可能店舗１１０では充電の受付けが行われる。更に、ステップＳ１８０で、店舗蓄電池１１２から車両蓄電池１２２への充電（ＤＣ−ＤＣ充電）が行われる。そして、ステップＳ１９０で、充電量が計画充電量に達すると、充電が終了される。
【０１１２】
以上のように、本実施形態では、データセンタ１４０は、各店舗１１０Ａ〜１１０Ｃにおける、発電電力の予測量と蓄電電力の予測量とに対する消費電力の予測量の電力収支が、余剰となって、配送車１２０Ａ〜１２０Ｃへの供給が可能となる供給可能電力量を予測するようにしている。そして、供給可能電力量と、配送車１２０Ａ〜１２０Ｃの運行ルートと、車両蓄電池１２２の車両蓄電電力量とに基づいて、電力供給の対象となる電力不足車１２０と、電力不足車１２０に対して電力供給を行う供給可能店舗１１０と、電力供給を行うための供給用運行ルートと、供給可能店舗１１０から電力不足車１２０に電力供給する供給電力量とを定める電力供給計画を立案するようにしている。更に、電力供給計画に基づいて、各店舗１１０Ａ〜１１０Ｃおよび各配送車１２０Ａ〜１２０Ｃに対して、供給可能店舗１１０から電力不足車１２０への電力供給を実行するための指令を出すようにしている。
【０１１３】
これにより、店舗１１０Ａ〜１１０Ｃにおいて余剰となる供給可能電力を電力不足車１２０に対して供給することができ、太陽光発電装置１１１によって得られる電力を電力不足車１２０に対して有効に活用することができる。
【０１１４】
また、データセンタ１４０は、電力供給計画を立案する際に、供給可能店舗１１０が２つ以上設定されたときに、最初の供給可能店舗１１０から供給する供給電力量として、電力不足車１２０が次に電力供給を受ける供給可能店舗１１０まで移動するのに必要とされる最小限の電力量としている。
【０１１５】
これにより、１台の電力不足車１２０に対して供給する供給電力量を抑えることができるので、１つの供給可能店舗１１０から多数の電力不足車１２０に対して電力供給することが可能となる。また、電力不足車１２０にとっては、一度に多量の電力供給を受けるわけではなく、最低限度の電力供給を供給可能店舗１１０間で順に受けることになるので、車両蓄電池１２２を過度に大型にする必要がなく、電力不足車１２０、ひいては配送車１２０Ａ〜１２０Ｃの軽量化および低コスト化を図ることができる。
【０１１６】
また、データセンタ１４０は、電力供給計画を立案する際に、供給電力量を、供給用運行ルートに基づく電力不足車１２０の走行距離、走行時間、供給用運行ルートにおける渋滞情報、外気温度、荷物の重さ、および荷物の保冷に必要とされる熱量のうち、少なくとも１つによって電力不足車１２０が使用すると予測される予測電力量をもとに定めるようにしている。
【０１１７】
これにより、電力不足車１２０の実際の走行条件に即した予測電力量の推定が可能となり、この予測電力量から供給電力量を精度良く定めることができる。
【０１１８】
また、データセンタ１４０は、電力供給計画を立案する際に、供給電力量を、過去の所定期間での電力不足車１２０の配送時における使用電力実績量をもとに定めることも可能である。
【０１１９】
この場合では、電力不足車１２０の過去の使用電力実績量に即した必要電力量の予測が可能となり、この必要電力量から供給電力量を精度良く定めることができる。
【０１２０】
また、データセンタ１４０は、電力供給計画を立案する際に、供給可能店舗１１０のうち、電力不足車１２０に対して最も近い供給可能店舗１１０から優先して供給用運行ルートを定めるようにしている。
【０１２１】
これにより、もともとの運行ルートに対して電力不足車１２０が迂回する分を小さくすることができるので、適切な供給用運行ルートとして設定することができる。
【０１２２】
また、データセンタ１４０は、供給用運行ルートを作成する際に、優先して定めた供給可能店舗１１０に向かう電力不足車１２０が複数となったとき、複数の電力不足車１２０のうち、配送のための走行距離の最も長い電力不足車１２０、あるいは走行距離あたりの荷物コストが最も高い電力不足車１２０に対して電力供給を優先するようにしている。
【０１２３】
これにより、複数の電力不足車１２０に対して重要度を設けた選択が容易にできる。
【０１２４】
また、データセンタ１４０は、供給用運行ルートを作成する際に、優先して定めた供給可能店舗１１０に向かう電力不足車１２０が複数となったとき、複数の電力不足車１２０のうち、供給される電力の使用によって環境に対するクリーン度の向上度合いが最も高くなる電力不足車１２０に対して電力の供給を優先するようにすることも可能である。
【０１２５】
この場合では、電力不足車１２０の環境に対するクリーン度を高めることができるので、複数の店舗１１０Ａ〜１１０Ｃが設けられる地域の環境改善に繋げることができる。
【０１２６】
また、データセンタ１４０は、供給可能電力量を予測する際に、消費電力の予測量を、現時点以前の過去の所定期間における店舗１１０Ａ〜１１０Ｃの消費電力実績量をもとに算出するようにしているので、供給可能電力量の予測精度を高めることができる。
【０１２７】
また、データセンタ１４０は、供給可能電力量を予測する際に、発電電力の予測量を、現時点以前の過去の所定期間における太陽光発電装置１１１の発電電力実績量をもとに算出するようにしているので、供給可能電力量の予測精度を高めることができる。
【０１２８】
また、データセンタ１４０は、供給可能電力量を予測する際に、蓄電電力の予測量を、現時点以前の過去の所定期間における店舗蓄電池１１２の蓄電電力実績量をもとに算出するようにしているので、供給可能電力量の予測精度を高めることができる。
【０１２９】
（第２実施形態）
上記第１実施形態では、配送車１２０Ａ〜１２０Ｃの運行を管理する集配センタ１３０を設けるようにした。これに代えて、集配センタ１３０における運行計画部１３１、および運行管理部１３２の機能、およびデータ通信モジュール（ＤＣＭ）等の通信手段を各配送車１２０Ａ〜１２０Ｃに持たせて、各配送車１２０Ａ〜１２０Ｃから運行ルート情報、車両蓄電電力量のデータをデータセンタ１４０に直接、送信するようにしても良い。このとき、データセンタ１４０から送信される電力供給計画情報を、各配送車１２０Ａ〜１２０Ｃは、直接受信するようにする。
【０１３０】
これにより、集配センタ１３０を不要として、店舗１１０Ａ〜１１０Ｃ、配送車１２０Ａ〜１２０Ｃ、およびデータセンタ１４０による電力供給システムの形成が可能となる。
【０１３１】
（第３実施形態）
データセンタ１４０は、供給運行ルートを算出する際に、供給可能店舗１１０のうち、供給可能電力量が最も大きい供給可能店舗１１０から順に巡回するルートとして新たに定めるようにしても良い。これにより、電力不足車１２０が必要とする電力量に対して供給可能店舗１１０からの電力供給に不足があったとしても、その不足量を小さくした対応が可能となる。尚、電力供給の不足量については、次の供給可能店舗１１０で供給されることになる。
【０１３２】
（第４実施形態）
データセンタ１４０は、供給運行ルートを算出する際に、供給可能店舗１１０における供給電力量では電力不足車１２０が必要とする車両必要電力量が賄えない場合には、供給可能店舗１１０における配電系統からの商用電力を活用して電力供給する供給電力量に設定するようにしても良い。これにより、余剰によって得られた供給電力量では電力不足車１２０に対して賄えない場合であっても、入手容易な商用電力を活用して電力供給するので、電力不足車１２０が必要とする車両必要電力量を確実に供給することができる。
【０１３３】
（その他の実施形態）
データセンタ１４０は、電力供給を実行するための指令を出す際に、電力不足車１２０の荷物の積み降ろしにかかる停車時間を予測し、停車時間に応じて供給可能店舗１１０における電力供給速度を指示するようにしても良い。つまり、データセンタ１４０からの電力供給計画では、充電時間を加味するが、電力不足車１２０の荷物の積み降ろし等の作業時間等から停車時間を予測し、予測した停車時間から充電速度（充電モード：低・中・高）を指示しても良い。この場合は、車両蓄電池１２２の特性に応じ、効率的かつ車両蓄電池１２２の劣化を防ぐ手法をとり、充電速度、充電時間、充電量を指示する。
【０１３４】
これにより、電力不足車１２０の停車時間を有効に活用した電力供給が可能となるので、電力供給を行うことによって停車時間が延びるのを抑制することができる。
【０１３５】
また、データセンタ１４０は、配送車１２０Ａ〜１２０Ｃが走行する地域、あるいは時間帯に応じて車両電気機器の作動モードを変更するように配送車１２０Ａ〜１２０Ｃに対して指令するようにしても良い。例えば、冷凍車の電動コンプレッサは、空荷なら保冷運用しなくて良いことを考慮して、ベルト駆動コンプレッサの駆動を指令する。また、住宅街では騒音防止のため車両蓄電池１２２で電動コンプレッサの駆動を指令し、高速道路等を使用して帰るだけなら走行のみ必要であることを考慮して、ベルト駆動コンプレッサの駆動を指令する。更に、走行地域・時間帯をデータセンタ１４０で認識し、冷凍サイクル等の運用モード（サイレント／通常／急冷）を切り替えるような運行計画を指示することも可能である。
【０１３６】
これにより、地域や時間帯に応じて車両電気機器の作動モードを変更することで、車両電気機器の作動に必要とされる電力、および作動時に発生する騒音レベル等を地域や時間帯に適した値に調整することが可能となるので、省電力化および低騒音化が可能となる。
【０１３７】
また、データセンタ１４０は、逐次、店舗１１０Ａ〜１１０Ｃにおける蓄電電力量のデータと、配送車１２０Ａ〜１２０Ｃにおける車両蓄電電力量のデータとを入手して、蓄電電力量のデータと車両蓄電電力量のデータとに応じて、供給用運行ルートを動的に更新するようにしても良い。
【０１３８】
つまり、供給可能店舗１１０から電力不足車１２０に対して電力供給を行っていくと、時間経過と共に蓄電電力量および車両蓄電電力量は変化していくので、蓄電電力量および車両蓄電電力の情報をもとに、供給用運行ルートを更新していくことで、その時々での最適な電力供給が可能となる。
【０１３９】
また、データセンタ１４０は、電力不足車１２０における荷物の量、および供給用運行ルートにおける渋滞情報に応じて供給用運行ルートを更新するようにしても良い。
【０１４０】
つまり、電力不足車１２０における荷物の量、および供給用運行ルートにおける渋滞の状況は、時々刻々と変化していくので、これらの荷物の量、および渋滞情報をもとに、供給用運行ルートを更新していくことで、その時々での最適な電力供給が可能となる。
【０１４１】
また、データセンタ１４０は、供給可能店舗１１０から電力不足車１２０に対して電力を供給してもまだ発電電力による余剰が有る場合は、その余剰分を電力系統に売電するように供給可能店舗１１０に対して指令するようにしても良い。
【０１４２】
このように、供給可能店舗１１０において電力不足車１２０に対して電力を供給してもまだ余剰となる分については売電することで、供給可能店舗１１０で得られる余剰電力を余すことなく活用することができる。また、売電による金銭的な利益も得られる。
【０１４３】
また、データセンタ１４０は、電力系統における発電電力の売電価格が所定価格よりも高い場合に、電力収支が余剰となる電力の用途を、配送車１２０Ａ〜１２０Ｃへの電力供給と、電力系統への売電とに分け、売電価格に応じて電力供給に使用する電力量と売電に使用する電力量との割合を調整するようにしても良い。例えば、売電価格が高いほど、電力供給に使用する電力量よりも売電に使用する電力量を多くする。これにより、売電による金銭的な利益を拡大することができる。
【０１４４】
また、データセンタ１４０は、供給可能店舗１１０から電力不足車１２０に対して電力を供給してもまだ発電電力による余剰が有る場合は、その余剰分を電気給湯器による高温湯の生成に使用するように供給可能店舗１１０に対して指令するようにしても良い。これにより、余剰電力から高温湯を生成して、熱エネルギとして活用することができ、エネルギの利用範囲を拡大することができる。
【０１４５】
また、各店舗１１０Ａ〜１１０Ｃは各種電力データをデータセンタ１４０に送信し、データセンタ１４０にて、消費電力の予測量、発電電力の予測量、蓄電電力の予測量を算出して、供給可能電力量を算出するようにしたが、各店舗１１０Ａ〜１１０Ｃで消費電力の予測量、発電電力の予測量、蓄電電力の予測量を算出して、その算出結果をデータセンタ１４０に送信するようにしても良い。
【０１４６】
また、店舗１１０Ａ〜１１０Ｃにおける発電装置として、太陽光を利用した太陽光発電装置１１１としたが、これに限らず、風力を利用した風力発電装置や、水力を利用したマイクロ水力発電装置等としても良い。
【０１４７】
また、現時点から所定期間までの供給可能電力量、車両必要電力量を算出する際の所定期間として、配送周期と同一となる期間（時間）とする内容で説明したが、これに限定されることなく、例えば、配送周期に対して所定倍率を乗じて、配送周期よりも大きくなるような期間としても良い。
【０１４８】
また、各種電力量の実績量を算出する際に使用する過去（現時点以前の過去の所定期間）のデータは、１年間分のデータに限らず、週、月、季節毎、半年単位等のデータとしても良い。
【０１４９】
また、発電装置（太陽光発電装置１１１）、および建物蓄電池（店舗蓄電池１１２）を備える複数の建物として、所定地域内の系列店舗として説明したが、これに限らず、系列を超えた複数の店舗のグループとしても良い。また、建物としては、店舗に限らず、事務所、オフィス等を対象としても良い。
【符号の説明】
【０１５０】
１００  電力供給システム
１１０  供給可能店舗（供給用建物）
１１０Ａ〜１１０Ｃ  店舗（建物）
１１１  太陽光発電装置（発電装置）
１１２  店舗蓄電池（建物蓄電池）
１１７  通信部（通信手段）
１２０  電力不足車（対象配送車）
１２０Ａ〜１２０Ｃ  配送車
１２２  車両蓄電池
１２６  通信部（通信手段）
１３３  通信部（通信手段）
１４０  データセンタ（センタ）
１４１  通信部（通信手段）
【図１】
0005578124.tif 000002
【図２】
0005578124.tif 000003
【図３】
0005578124.tif 000004